(57)【特許請求の範囲】
【請求項１】
誘電体層と内部電極層とが交互に積層された直方体状の積層体と、該積層体の外表面に設けられた、互いに異なる前記内部電極層にそれぞれ電気的に接続された一対の外部電極とを備えており、
前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有し、
前記一対の外部電極は、前記側面の中央部を含むように前記側面に設けられた側面部と該側面部から前記上面に延在する上面延在部と前記側面部から前記下面に延在する下面延在部とを有しており、
前記一対の外部電極は、前記下面延在部の厚みが前記上面延在部の厚みよりも厚くなっており、
前記側面部は、前記下面延在部側の厚みが前記上面延在部側の厚みよりも厚くなっているとともに、前記積層体の積層方向に３分割した際の前記下面延在部側に位置する領域において外側に突出するように前記下側延在部側に向かって厚みが漸次厚くなっていることを特徴とする積層型コンデンサ。
【請求項２】
前記上面延在部および前記下面延在部は、前記積層体の長手方向に沿った長さが前記上面および前記下面の中央部に向かうにつれて漸次小さくなっていることを特徴とする請求項１に記載の積層型コンデンサ。
【請求項３】
前記上面延在部および前記下面延在部は、前記上面および前記下面の中央部に向かって凸状に湾曲して延在していることを特徴とする請求項１または請求項２に記載の積層型コンデンサ。
【請求項４】
前記下面延在部の先端部は、積層方向から平面透視して前記上面延在部の先端部よりも前記下面の中央部側に位置していることを特徴とする請求項１乃至請求項３のいずれかに記載の積層型コンデンサ。
【請求項５】
誘電体層と内部電極層とが交互に積層された直方体状の積層体と、該積層体の外表面に設けられた、互いに異なる前記内部電極層にそれぞれ電気的に接続された一対の外部電極とを備えており、
前記積層体は、前記誘電体層と前記内部電極層との積層方向に位置する、互いに対向する長方形状の上面および下面と、該上面および下面の長辺側に隣接する一対の側面と、前
記上面および下面の短辺側に隣接する一対の端面とを有し、
前記外部電極は、前記端面の中央部を含むように前記端面に設けられた端面部と該端面部から前記上面に延在する上面延在部と前記端面部から前記下面に延在する下面延在部とを有しており、
前記一対の外部電極は、前記下面延在部の厚みが前記上面延在部の厚みよりも厚くなっており、
前記端面部は、前記下面延在部側の厚みが前記上面延在部側の厚みよりも厚くなっているとともに、前記積層体の積層方向に３分割した際の前記下面延在部側に位置する領域において外側に突出するように前記下側延在部側に向かって厚みが漸次厚くなっていることを特徴とする積層型コンデンサ。
【請求項６】
前記上面延在部および前記下面延在部は、前記積層体の短手方向に沿った長さが前記上面および前記下面の中央部に向かうにつれて漸次小さくなっていることを特徴とする請求項５に記載の積層型コンデンサ。
【請求項７】
前記上面延在部および前記下面延在部は、前記上面および前記下面の中央部に向かって凸状に湾曲して延在していることを特徴とする請求項５または請求項６に記載の積層型コンデンサ。
【請求項８】
前記下面延在部の先端部は、積層方向から平面透視して前記上面延在部の先端部よりも前記下面の中央部側に位置していることを特徴とする請求項５乃至請求項７のいずれかに記載の積層型コンデンサ。
【請求項９】
請求項１乃至請求項８のいずれかに記載の積層型コンデンサと基板電極を備えた基板とが、前記下面延在部が前記基板電極に対向するように配置され、前記下面延在部と前記基板電極とがはんだ接合されていることを特徴とする実装構造体。
【発明の詳細な説明】
【技術分野】
【０００１】
本発明は、複数の誘電体層と内部電極層とが交互に積層された積層体に一対の外部電極を設けた積層型コンデンサに関するものである。
【背景技術】
【０００２】
積層型コンデンサは、誘電体層と内部電極層とが交互に積層されており、誘電体層を構成するセラミック材料としては、誘電率が比較的高いチタン酸バリウム等の強誘電体材料が一般的に用いられている。例えば、このような積層型コンデンサに交流成分が重畳された直流電圧が印加されると、電圧による電歪効果から誘電体層に歪みが発生して、積層型コンデンサ自体が振動する。積層型コンデンサは、はんだ等を介して基板に実装されており、積層型コンデンサ自体の振動は、基板に伝播し、基板に伝播した振動によって基板が共鳴して振動が増幅され、基板において振動音が発生する。そして、基板が可聴域の共振周波数で共振した際に、基板から可聴音が生じ、いわゆる、「音鳴き」という現象が生じる。具体的には、積層型コンデンサは、一対の外部電極と基板とがはんだを介して実装されており、積層型コンデンサの振動が外部電極に形成されたはんだ接合部を介して基板を変形させるので、基板において振動音が発生することになる。
【０００３】
積層型コンデンサは、音鳴きを低減するとして、積層体の短手方向の一対の側面の中央部に一対の外部電極を設けている。このような積層型コンデンサは、例えば、特許文献１に開示されているものがある。
【先行技術文献】
【特許文献】
【０００４】
【特許文献１】特開２００７−１９４３１２号公報
【発明の概要】
【発明が解決しようとする課題】
【０００５】
しかしながら、上述の積層型コンデンサの構造では、積層型コンデンサの外部電極の厚みが考慮されておらず、十分な振動の抑制効果が得られないという問題点があった。
【０００６】
本発明は、上記の問題点に鑑みてなされたものであり、その目的は、音鳴きをより低減することができる積層型コンデンサおよび実装構造体を提供することにある。
【課題を解決するための手段】
【０００７】
本発明の一態様に係る積層型コンデンサは、誘電体層と内部電極層とが交互に積層された直方体状の積層体と、該積層体の外表面に設けられた、互いに異なる前記内部電極層にそれぞれ電気的に接続された一対の外部電極とを備えており、前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有し、前記一対の外部電極は、前記側面の中央部を含むように前記側面に設けられた側面部と該側面部から前記上面に延在する上面延在部と前記側面部から前記下面に延在する下面延在部とを有しており、前記一対の外部電極は、前記下面延在部の厚みが前記上面延在部の厚みよりも厚くなっており、前記側面部は、前記下面延在部側の厚みが前記上面延在部側の厚みよりも厚くなっているとともに、前記積層体の積層方向に３分割した際の前記下面延在部側に位置する領域において外側に突出するように前記下側延在部側に向かって厚みが漸次厚くなっていることを特徴とするものある。
【０００８】
また、本発明の一態様に係る積層型コンデンサは、誘電体層と内部電極層とが交互に積層された直方体状の積層体と、該積層体の外表面に設けられた、互いに異なる前記内部電極層にそれぞれ電気的に接続された一対の外部電極とを備えており、前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有し、前記外部電極は、前記端面の中央部を含むように前記端面に設けられた端面部と該端面部から前記上面に延在する上面延在部と前記端面部から前記下面に延在する下面延在部とを有しており、前記一対の外部電極は、前記下面延在部の厚みが前記上面延在部の厚みよりも厚くなっており、前記端面部は、前記下面延在部側の厚みが前記上面延在部側の厚みよりも厚くなっているとともに、前記積層体の積層方向に３分割した際の前記下面延在部側に位置する領域において外側に突出するように前記下側延在部側に向かって厚みが漸次厚くなっていることを特徴とするものである。
【０００９】
また、本発明の一態様に係る積層型コンデンサの実装構造体は、上述の積層型コンデンサと基板電極を備えた基板とが、前記下面延在部が前記基板電極に対向するように配置され、前記下面延在部と前記基板電極とがはんだ接合されていることを特徴とするものである。
【発明の効果】
【００１０】
本発明の積層型コンデンサによれば、一対の外部電極は、積層体の上面に延在する上面延在部と下面に延在する下面延在部とを有しており、下面延在部の厚みが上面延在部の厚みよりも厚くなっているので、音鳴きをより低減することができる。
【図面の簡単な説明】
【００１１】
【図１】（ａ）は実施の形態１に係る積層型コンデンサを示す概略の斜視図であり、（ｂ）は（ａ）に示す積層型コンデンサのＡ−Ａ線で切断した切断部端面図であり、（ｃ）は（ａ）に示す積層型コンデンサのＢ−Ｂ線で切断した断面図である。
【図２】（ａ）は図１に示す積層型コンデンサを上面側から平面視した平面図、（ｂ）は図１に示す積層型コンデンサを側面側から側面視した側面図、（ｃ）は図１に示す積層型コンデンサを下面側から平面視した平面図である。
【図３】（ａ）〜（ｃ）は内部電極層を説明するための平面図である。
【図４】実施の形態２に係る積層型コンデンサであってＢ−Ｂ線に相当する線で切断した断面図である。
【図５】（ａ）は図４に示す積層型コンデンサを上面側から平面視した平面図、（ｂ）は図４に示す積層型コンデンサを側面側から側面視した側面図、（ｃ）は図４に示す積層型コンデンサを下面側から平面視した平面図である。
【図６】実施の形態２に係る積層型コンデンサの他の例であってＢ−Ｂ線に相当する線で切断した断面図である。
【図７】（ａ）は実施の形態３に係る積層型コンデンサを示す概略の斜視図であり、（ｂ）は（ａ）に示す積層型コンデンサのＡ−Ａ線で切断した切断部端面図であり、（ｃ）は（ａ）に示す積層型コンデンサのＢ−Ｂ線で切断した断面図である。
【図８】（ａ）および（ｂ）は実施の形態３に係る積層型コンデンサの他の例であってＢ−Ｂ線に相当する線で切断した断面図である。
【図９】（ａ）は実施の形態４に係る積層型コンデンサを示す概略の斜視図であり、（ｂ）は（ａ）に示す積層型コンデンサのＣ−Ｃ線で切断した断面図であり、（ｃ）は（ａ）に示す積層型コンデンサのＤ−Ｄ線で切断した切断部端面図である。
【図１０】（ａ）は図１に示す積層型コンデンサを基板上に基板実装した状態を示す概略の斜視図であり、（ｂ）は（ａ）に示す積層型コンデンサをＥ−Ｅ線で切断したものであって、基板実装した実装構造体を示す断面図である。
【図１１】（ａ）は従来の積層型コンデンサを示す概略の斜視図であり、（ｂ）は座標軸のＺ方向からみた平面図であり、（ｃ）は（ｂ）の積層型コンデンサを基板上に基板実装してＦ−Ｆ線で切断した従来の実装構造体を示す断面図である。
【図１２】従来の積層型コンデンサ単体に４ＶのＤＣバイアスを印加した場合のインピーダンス測定結果を示すグラフである。
【図１３】従来の積層型コンデンサ単体の振動モードの計算に使用した有限要素法のモデルの模式図である。
【図１４】（ａ）は従来の積層型コンデンサ単体の１０ｋＨｚにおける振動の計算結果を示す対称面側からみた斜視図であり、（ｂ）は従来の積層型コンデンサ単体の１０ｋＨｚにおける振動の計算結果を示す表面側からみた斜視図である。
【図１５】（ａ）は従来の積層型コンデンサ単体における振動モードの節状部を模式的に示す斜視図であり、（ｂ）は（ａ）の振動モードの節状部に外部電極を設けた状態を模式的に示す斜視図である。
【図１６】図１に示す積層型コンデンサの製造方法を説明するための説明図である。
【発明を実施するための形態】
【００１２】
＜実施の形態１＞
以下、本発明の実施の形態１に係る積層型コンデンサ１０について図面を参照しながら説明する。また、積層型コンデンサ１０は、便宜的に、直交座標系ＸＹＺを定義するとともに、Ｚ方向の正側を上方として、上面もしくは下面の用語を用いるものとする。本実施の形態では、一対の主面のうち一方が上面４ａとなり、他方が下面４ｂとなる。なお、各図面において、同じ部材および同じ部分に関しては共通の符号を用いて、重複する説明は省略する。
【００１３】
図１（ａ）は、本発明の実施の形態１に係る積層型コンデンサ１０を示す概略の斜視図であり、積層型コンデンサ１０は、誘電体層１ａと内部電極層２（第１の内部電極層２ａおよび第２の内部電極層２ｂ）とが交互に積層された直方体状の積層体１と、積層体１の短手方向の一対の側面４ｅ、４ｆに設けられ、互いに異なる内部電極層２にそれぞれ電気的に接続された一対の外部電極３（第１の外部電極３ａおよび第２の外部電極３ｂ）とを備えている。積層体１は、内部に第１の内部電極層２ａと第２の内部電極層２ｂとが交互に誘電体層１ａを介して積層された直方体状のものである。
【００１４】
積層体１は、誘電体層１ａと内部電極層２（第１の内部電極層２ａおよび第２の内部電極層２ｂ）との積層方向に位置する、互いに対向する長方形状の上面４ａおよび下面４ｂと、上面４ａと下面４ｂとの間に位置するとともに上面４ａおよび下面４ｂの長辺側に隣接する互いに対向する一対の側面（第１の側面４ｅおよび第２の側面４ｆ）と、上面４ａと下面４ｂとの間に位置するとともに上面４ａおよび下面４ｂの短辺側に隣接する互いに対向する一対の端面（第１の端面４ｃおよび第２の端面４ｄ）とを有している。なお、一対の側面（第１の側面４ｅおよび第２の側面４ｆ）が積層体１の長手方向（Ｘ方向）に位置し、一対の端面（第１の端面４ｃおよび第２の端面４ｄ）が積層体１の短手方向（Ｙ方向）に位置する。
【００１５】
このように、積層体１は、一対の端面（第１の端面４ｃおよび第２の端面４ｄ）が上面４ａと下面４ｂとの間に位置するとともに上面４ａおよび下面４ｂに直交しており、一対の側面（第１の側面４ｅおよび第２の側面４ｆ）が上面４ａと下面４ｂとの間に位置するとともに上面４ａおよび下面４ｂに直交しており、一対の端面（第１の端面４ｃおよび第２の端面４ｄ）と一対の側面（第１の側面４ｅおよび第２の側面４ｆ）とが直交している。直方体状とは、立方体形状または直方体形状のみならず、例えば、直方体の稜線部分に面取りが施され、稜線部分がＲ形状となっているものを含んでいる。
【００１６】
積層体１は、誘電体層１ａの表面に内部電極層２が形成されたセラミックグリーンシートを複数枚積層して焼成することで得られる焼結体である。このように、積層体１は、直方体状に形成されており、誘電体層１ａおよび内部電極層２の積層方向（Ｚ方向）に直交する方向の断面（ＸＹ面）となる平面が長方形状となっている。
【００１７】
一対の外部電極３は、図１に示すように、第１の外部電極３ａと第２の外部電極３ｂとからなる。第１の外部電極３ａは、側面部３ａ１と上面延在部３ａ２と下面延在部３ａ３とを有しており、側面部３ａ１が第１の側面４ｅの中央部を含むように第１の側面４ｅに
設けられ、上面延在部３ａ２が側面部３ａ１から積層体１の短手方向（Ｙ方向）の中央部に向かって上面４ａ上に延在し、下面延在部３ａ３が側面部３ａ１から積層体１の短手方向（Ｙ方向）の中央部に向かって下面４ｂ上に延在している。
【００１８】
また、第２の外部電極３ｂは、側面部３ｂ１と上面延在部３ｂ２と下面延在部３ｂ３とを有しており、側面部３ｂ１が第２の側面４ｆの中央部を含むように第２の側面４ｆに設けられ、上面延在部３ｂ２が側面部３ｂ１から積層体１の短手方向（Ｙ方向）の中央部に向かって上面４ａ上に延在し、下面延在部３ｂ３が側面部３ｂ１から積層体１の短手方向（Ｙ方向）の中央部に向かって下面４ｂ上に延在している。
【００１９】
図２は、積層型コンデンサ１０の上面図、側面図および下面図であり、一対の外部電極３の形状をそれぞれ示したものである。図２（ａ）は、積層型コンデンサ１０を上面４ａ側から平面視した平面図で第１の外部電極３ａの上面延在部３ａ２および第２の外部電極３ｂの上面延在部３ｂ２をそれぞれ示しており、図２（ｂ）は、積層型コンデンサ１０を第１の側面４ｅ（第２の側面４ｆ）側から側面視した側面図であり、第１の外部電極３ａの側面部３ａ１（第２の外部電極３ｂの側面部３ｂ１）を示しており、図２（ｃ）は、積層型コンデンサ１０を下面４ｂ側から平面視した平面図で第１の外部電極３ａの下面延在部３ａ３および第２の外部電極３ｂの下面延在部３ｂ３をそれぞれ示している。
【００２０】
図２に示すように、上面延在部３ａ２（上面延在部３ｂ２）および下面延在部３ａ３（下面延在部３ｂ３）は、上面４ａおよび下面４ｂの中央部に向かって凸状に湾曲しており、例えば、中央部に向かって円弧状に湾曲している。また、図２においては、一対の外部電極３は、積層方向から平面透視して上面延在部３ａ２（上面延在部３ｂ２）の積層体１の短手方向（Ｙ方向）の長さＷ１および下面延在部３ａ３（下面延在部３ｂ３）の積層体１の短手方向（Ｙ方向）の長さＷ２がほぼ同じ長さになるように設けられており、上面延在部３ａ２（上面延在部３ｂ２）および下面延在部３ａ３（下面延在部３ｂ３）が凸状に湾曲して上面４ａおよび下面４ｂに延在している。
【００２１】
また、積層型コンデンサ１０は、振動振幅の大きい上面４ａおよび下面４ｂに位置する上面延在部３ａ２（上面延在部３ｂ２）および下面延在部３ａ３（下面延在部３ｂ３）の領域を小さくすることによって振動を基板９に伝わりにくくするという点、または、実装安定性を向上させる点から、Ｗ１およびＷ２は、積層体１の短手方向（Ｙ方向）の長さに対して、０．０２〜０．４の範囲内であることが好ましい。
【００２２】
上面延在部３ａ２および下面延在部３ａ３は、積層体１の長手方向（Ｘ方向）の長さが第１の側面４ｅ側から上面４ａおよび下面４ｂの中央部側に向かって漸次小さくなるように上面４ａおよび下面４ｂの中央部側に突出するように凸状に湾曲しており、中央部側に向かって湾曲する湾曲部を有している。
【００２３】
また、上面延在部３ｂ２および下面延在部３ｂ３は、積層体１の長手方向（Ｘ方向）の長さが第２の側面４ｆ側から上面４ａおよび下面４ｂの中央部側に向かって漸次小さくなるように上面４ａおよび下面４ｂの中央部側に突出するように凸状に湾曲しており、中央部側に向かって湾曲する湾曲部を有している。
【００２４】
このように、上面延在部３ａ２および下面延在部３ａ３は、中央部側に向かって凸状に湾曲する湾曲部を有しており、湾曲部は、例えば、凸状に湾曲する円弧状、半円形状または半楕円形状等であり、同様に、上面延在部３ｂ２および下面延在部３ｂ３は、中央部側に向かって凸状に湾曲する湾曲部を有しており、湾曲部は、例えば、凸状に湾曲する円弧状、半円形状または半楕円形状等である。
【００２５】
積層型コンデンサ１０は、上面延在部３ａ２（上面延在部３ｂ２）および下面延在部３ａ３（下面延在部３ｂ３）が上面１ａおよび下面１ｂの中央部に向かって凸状に湾曲して延在しているので、外部電極３が積層体１から剥離しにくくなり、また、はんだ接合においては、はんだに亀裂等が生じにくくなり実装の信頼性を向上させることができる。
【００２６】
また、上面延在部３ａ２（上面延在部３ｂ２）および下面在部３ａ３（下面延在部３ｂ３）は、積層方向から平面視して、例えば、第１の側面４ｅ（第２の側面４ｆ）を底辺（下辺）とする三角形状、台形状または四角形状の多角形状等の形状であってもよく、三角形状、台形状または四角形状等の形状でもって上面４ａおよび下面４ｂの中央部に向かって延在してもよい。また、三角形状または台形状は、積層体１の長手方向に沿った長さが上面４ａおよび下面４ｂの中央部に向かうにつれて漸次小さくなっている。なお、三角形状、台形状または四角形状等の多角形状は、その角部（頂点）が丸みを帯びている場合も含むものとする。
【００２７】
図２に示すように、第１の外部電極３ａにおいて、上面延在部３ａ２は、上面４ａに延在し、積層体１の長手方向に沿った第１の側面４ｅ側の長さが側面部３ａ１の上端部（Ｚ方向の正側）側の長さとほぼ同じ長さで設けられ、また、下面延在部３ａ３は、下面４ｂに延在し、積層体１の長手方向に沿った第１の側面４ｅ側の長さが側面部３ａ１の下端部（Ｚ方向の負側）側の長さとほぼ同じ長さで設けられている。
【００２８】
具体的には、図２に示すように、上面延在部３ａ２は、第１の側面４ｅ側の長さＬ１（積層体１の長手方向に沿った長さ）が側面部３ａ１の上端部（Ｚ方向の正側）側の長さとほぼ同じ長さで上面４ａに設けられ、また、下面延在部３ａ３は、第１の側面４ｅ側の長さＬ２（積層体１の長手方向に沿った長さ）が側面部３ａ１の下端部（Ｚ方向の負側）側の長さとほぼ同じ長さで下面４ｂに設けられている。
【００２９】
すなわち、第１の外部電極３ａは、側面部３ａ１と上面延在部３ａ２との間の稜線部における積層体１の長手方向に沿った長さＬ１が側面部３ａ１と下面延在部３ａ２との間の稜線部における積層体１の長手方向に沿った長さＬ２とほぼ同じである。側面部３ａ１と上面延在部３ａ２との間の稜線部における積層体１の長手方向に沿った長さＬ１とは、第１の側面４ｅと上面４ａとの間の稜線部に位置する第１の外部電極３ａの積層体１の長手方向に沿った長さであり、側面部３ａ１と下面延在部３ａ３との間の稜線部における積層体１の長手方向に沿った長さＬ２とは、第１の側面４ｅと下面４ｂとの間の稜線部に位置する第１の外部電極３ａの積層体１の長手方向に沿った長さである。
【００３０】
また、同様に、第２の外部電極３ｂにおいて、上面延在部３ｂ２は、上面４ａに延在し、積層体１の長手方向に沿った第２の側面４ｆ側の長さが側面部３ｂ１の上端部（Ｚ方向の正側）側の長さとほぼ同じ長さで設けられ、また、下面延在部３ｂ３は、下面４ｂに延在し、積層体１の長手方向に沿った第２の側面４ｆ側の長さが側面部３ｂ１の下端部（Ｚ方向の負側）側の長さと同じ長さで設けられている。
【００３１】
具体的には、図２に示すように、上面延在部３ｂ２は、第２の側面４ｆ側の長さＬ１（積層体１の長手方向に沿った長さ）が側面部３ｂ１の上端部（Ｚ方向の正側）側の長さとほぼ同じ長さで上面４ａに設けられ、また、下面延在部３ｂ３は、第２の側面４ｆ側の長さＬ２（積層体１の長手方向に沿った長さ）が側面部３ｂ１の下端部（Ｚ方向の負側）側の長さとほぼ同じ長さで下面４ｂに設けられている。
【００３２】
すなわち、第２の外部電極３ｂは、側面部３ｂ１と上面延在部３ｂ２との間の稜線部における積層体１の長手方向に沿った長さＬ１が側面部３ｂ１と下面延在部３ｂ３との間の稜線部における積層体１の長手方向に沿った長さＬ２とほぼ同じ長さである。側面部３ｂ
１と上面延在部３ｂ２との間の稜線部における積層体１の長手方向に沿った長さＬ１とは、第２の側面４ｆと上面４ａとの間の稜線部に位置する第１の外部電極３ｂの積層体１の長手方向に沿った長さであり、側面部３ｂ１と下面延在部３ｂ２との間の稜線部における積層体１の長手方向に沿った長さＬ２とは、第２の側面４ｆと下面４ｂとの間の稜線部に位置する第２の外部電極３ｂの積層体１の長手方向に沿った長さである。
【００３３】
積層型コンデンサ１０において、図１（ａ）に示すように、一対の外部電極３は、下面延在部３ａ３および下面延在部３ｂ３の厚みが上面延在部３ａ２および上面延在部３ｂ２の厚みよりも厚くなっている。具体的には、積層型コンデンサ１０は、図１（ｃ）に示すように、下面４ｂに設けられる下地電極５の厚みを上面４ａに設けられる下地電極５の厚みよりも厚くすることで下面延在部３ａ３および下面延在部３ｂ３の厚みを上面延在部３ａ２および上面延在部３ｂ２の厚みよりも厚くしている。
【００３４】
積層型コンデンサ１０は、例えば、スクリーン印刷法またはローラ転写法等を用いて積層体１に印刷または転写する下地電極５となる導電性ペースト１７の厚みを調整することによって、上面延在部３ａ２（上面延在部３ｂ２）の厚みよりも下面延在部３ａ３（下面延在部３ｂ３）の厚みを厚くすることができる。なお、第１の外部電極３ａおよび第２の外部電極３ｂの形成方法については後述する。
【００３５】
内部電極層２は、図１に示すように、第１の内部電極層２ａと第２の内部電極層２ｂとを含んでおり、第１の内部電極層２ａおよび第２の内部電極層２ｂは、所定間隔を介して互いに対向しており、積層体１内の複数の誘電体層１ａを介して積層方向に所定間隔をおいて交互に配置されている。また、内部電極層２は、積層体１の上面４ａおよび下面４ｂに略平行となるように設けられている。
【００３６】
第１の外部電極３ａは、図３に示すように、側面部３ａ１が第１の側面４ｅの中央部を含むように設けられ、第１の側面４ｅに引き出された第１の内部電極層２ａに電気的に接続されている。また、第２の外部電極３ｂは、図３に示すように、側面部３ｂ１が第２の側面４ｆの中央部を含むように設けられ、第２の側面４ｆに引き出された第２の内部電極層２ｂに電気的に接続されている。
【００３７】
このように、積層型コンデンサ１０は、第１の外部電極３ａが第１の側面４ｅの中央部に設けられ、第２の外部電極３ｂが第２の側面４ｆの中央部に設けられている。第１の外部電極３ａは、図３（ｂ）に示すように、第１の側面４ｅに引き出された第１の内部電極層２ａの引出部２ａａを覆うように設けられており、第１の内部電極層２ａに電気的に接続されている。また、第２の外部電極３ｂは、図３（ｃ）に示すように、第２の側面４ｆに引き出された第２の内部電極層２ｂの引出部２ｂａを覆うように設けられており、第２の内部電極層２ｂに電気的に接続されている。
【００３８】
第１の側面４ｅの中央部とは、第１の側面４ｅを垂直に２等分する２等分線を含む領域であり、第１の外部電極３ａは側面部３ａ１がこの領域を含んで設けられている。また、第２の側面４ｆの中央部とは、第２の側面４ｆを垂直に２等分する２等分線を含む領域であり、第２の外部電極３ｂは側面部３ｂ１がこの領域を含んで設けられている。なお、図３（ａ）において、２等分線８を長鎖線で示している。
【００３９】
このように、内部電極層２は、１層毎に異なる外部電極３に電気的に接続されており、一対の外部電極３に電圧が印加されることにより、異なる外部電極３に接続された一対の内部電極層２（第１の内部電極層２ａおよび第２の内部電極層２ｂ）に挟まれた誘電体層１ａにおいて静電容量が発生する。
【００４０】
このような構成の積層型コンデンサ１０の寸法は、長手方向（Ｘ方向）の長さが、例えば、０．６（ｍｍ）〜２．２（ｍｍ）、短手方向（Ｙ方向）の長さが、例えば、０．３（ｍｍ）〜１．５（ｍｍ）、高さ方向（Ｚ方向）の長さが、例えば、０．３（ｍｍ）〜１．２（ｍｍ）である。
【００４１】
誘電体層１ａは、積層方向（Ｚ方向）からの平面視において長方形状である。図１に示した誘電体層１ａおよび内部電極層２の構造は模式的なものであり、実際には数層〜数百層の誘電体層１ａと内部電極層２とが積層されたものが多く用いられており、１層当たりの厚みが、例えば、０．２（μｍ）〜３（μｍ）である。積層体１は、例えば、１０（層）〜１０００（層）からなる複数の誘電体層１ａと内部電極層２とがＺ方向に積層されている。また、積層体１内の内部電極層２の積層数は、積層型コンデンサ１０の特性等に応じて適宜に設定される。
【００４２】
誘電体層１ａは、例えば、チタン酸バリウム（ＢａＴｉＯ３）、チタン酸カルシウム（ＣａＴｉＯ３）、チタン酸ストロンチウム（ＳｒＴｉＯ３）またはジルコン酸カルシウム（ＣａＺｒＯ３）等である。また、誘電体層１ａは、高い誘電率の点から、特に、誘電率の高い強誘電体材料としてチタン酸バリウムを用いることが好ましい。
【００４３】
第１の内部電極層２ａは、図３（ｂ）に示すように、第１の側面４ｅ側の中央部に第１の側面４ｅへの引出部２ａａを有しており、引出部２ａａが第１の側面４ｅに引き出され、第１の側面４ｅに露出するように配置されている。
【００４４】
また、第２の内部電極層２ｂは、図３（ｃ）に示すように、第２の側面４ｆ側の中央部に第２の側面４ｆへの引出部２ｂａを有しており、引出部２ｂａが第１の側面４ｅに対向する第２の側面４ｆに引き出され、第２の側面４ｆに露出するように配置されている。なお、第１の内部電極層２ａおよび第２の内部電極層２ｂは、第１の端面４ｃおよび第２の端面４ｄには露出していない。
【００４５】
図３（ａ）においては、第１の側面４ｅに露出する第１の内部電極層２ａを実線で示し、第２の側面４ｆに露出する第２の内部電極層２ｂを破線で示している。第１の内部電極層２ａおよび第２の内部電極層２ｂは、図３に示すように、引出部２ａａおよび引出部２ｂａの長手方向（Ｘ方向）の長さがほぼ同じになるように設けられている。引出部２ａａおよび引出部２ｂａは、積層体１の長手方向（Ｘ方向）に沿った長さが異なっていてもよい。
【００４６】
また、引出部２ａａ（引出部２ｂａ）は、振動の対称性を保ち、実装の際に基板を振動させる要素を低減できるという点から、第１の側面４ｅ（第２の側面４ｆ）における露出部において第１の側面４ｅ（第２の側面４ｆ）の２等分線８が含まれるように設けられていることが好ましい。
【００４７】
内部電極層２（第１の内部電極層２ａおよび第２の内部電極層２ｂ）の導電材料は、例えば、ニッケル（Ｎｉ）、銅（Ｃｕ）、銀（Ａｇ）、パラジウム（Ｐｄ）または金（Ａｕ）等の金属材料、あるいは、これらの金属材料の一種以上を含む、例えば、Ａｇ−Ｐｄ合金等の合金材料である。また、第１の内部電極層２ａおよび第２の内部電極層２ｂは、電極の厚みが、例えば、０．２（μｍ）〜２（μｍ）であり、用途に応じて厚みを適宜に設定すればよい。また、第１の内部電極層２ａおよび第２の内部電極層２ｂは、同一の金属材料または合金材料によって形成することが好ましい。
【００４８】
このように、一対の外部電極３（第１の外部電極３ａおよび第２の外部電極３ｂ）は、図１に示すように、積層体１の外表面（第１の側面４ｅおよび第２の側面４ｆ、上面４ａ
および下面４ｂ）に形成されている。また、一対の外部電極３（第１の外部電極３ａおよび第２の外部電極３ｂ）は、下地電極５と金属層６とを含んでいる。一対の下地電極５は、一方が第１の側面４ｅから上面４ａおよび下面４ｂに延在するように形成され、また、他方が第２の側面４ｆから上面４ａおよび下面４ｂに延在するように形成されている。金属層６は、下地電極５を覆うように下地電極５の表面上に形成されている。
【００４９】
一対の下地電極５は、一方が第１の側面４ｅに引き出された第１の内部電極層２ａに電気的に接続され、他方が第２の側面４ｆに引き出された第２の内部電極層２ｂに電気的に接続されている。下地電極５の導電材料は、例えば、Ｃｕ（銅）、ニッケル（Ｎｉ）、銀（Ａｇ）、パラジウム（Ｐｄ）または金（Ａｕ）等の金属材料、あるいは、これらの金属材料の一種以上を含む、例えば、Ｃｕ−Ｎｉ合金等の合金材料である。また、一対の下地電極５は、積層体１の表面に同一の金属材料または同一の合金材料によって形成することが好ましい。
【００５０】
このように、第１の外部電極３ａは、下地電極５と金属層６とから構成されており、第１の側面４ｅを含んで上面４ａから下面４ｂにわたって設けられており、同様に、第２の外部電極３ｂは、下地電極５と金属層６とから構成されており、第２の側面４ｆを含んで上面４ａから下面４ｂにわたって設けられている。
【００５１】
下地電極５は、図１（ｃ）に示すように、積層体１の表面に形成されており、金属層６が下地電極５の全体を覆うように形成されている。また、金属層６は、図１（ｃ）に示すように、第１の金属層６ａと第２の金属層６ｂとを含んでおり、第１の金属層６ａが下地電極５を覆うように下地電極５の表面上に形成され、また、第２の金属層６ｂが第１の金属層６ａを覆うように第１の金属層６ａの表面上に形成されている。
【００５２】
下地電極５は、上面４ａにおける厚みが、例えば、３（μｍ）〜５（μｍ）であり、第１の側面４ｅおよび第２の側面４ｆにおける厚みが、例えば、５（μｍ）〜１０（μｍ）であり、下面４ｂにおける厚みが上面４ａにおける厚みよりも厚く、例えば、５（μｍ）〜１０（μｍ）である。
【００５３】
金属層６は、例えば、第１の金属層６ａおよび第２の金属層６ｂがめっき層で形成される。第１の金属層６ａとなるめっき層は、下地電極５を覆うように下地電極５の表面上に形成され、第２の金属層６ｂとなるめっき層は、第１の金属層６ａのめっき層を覆うように第１の金属層６ａのめっき層の表面上に形成される。
【００５４】
第１の金属層６ａおよび第２の金属層６ｂのめっき層は、例えば、ニッケル（Ｎｉ）めっき層、銅（Ｃｕ）めっき層、金（Ａｕ）めっき層、銀（Ａｇ）めっき層または錫（Ｓｎ）めっき層等で形成される。積層型コンデンサ１０は、例えば、第１の金属層６ａがニッケル（Ｎｉ）めっき層であり、第２の金属層６ｂが錫（Ｓｎ）めっき層である。第１の金属層６ａのめっき層は、厚みが、例えば、５（μｍ）〜１０（μｍ）であり、第２の金属層６ｂのめっき層は、厚みが、例えば、３（μｍ）〜５（μｍ）である。
【００５５】
このように、積層型コンデンサ１０は、一対の外部電極３は、下面延在部３ａ３および下面延在部３ｂ３の厚みが上面延在部３ａ２および上面延在部３ｂ２の厚みよりも厚くなっており、下面延在部３ａ３および下面延在部３ｂ３の厚みは、例えば、１５（μｍ）〜２５（μｍ）であり、上面延在部３ａ２および上面延在部３ｂ２の厚みは、例えば、１０（μｍ）〜２０（μｍ）である。
【００５６】
ここで、本実施の形態１の積層型コンデンサ１０の実装構造体について以下に説明する。
【００５７】
図１０（ａ）は、積層型コンデンサ１０を基板９に実装した状態を示しており、図１０（ｂ）は、積層型コンデンサ１０を基板９に実装した状態において、図１０（ａ）のＥ−Ｅ線で切断した断面図である。
【００５８】
積層型コンデンサ１０は、例えば、はんだを介して回路基板（以下、基板９という）上に実装される。基板９は、例えば、ノートパソコン、スマートフォンまたは携帯電話等に用いられるものであり、例えば、表面には積層型コンデンサ１０が電気的に接続される電気回路が形成されている。なお、基板９は、表面の絶縁層を省略して示している。
【００５９】
また、基板９は、図１０に示すように、例えば、積層型コンデンサ１０が実装される表面には基板電極９ａおよび基板電極９ｂが設けられ、基板電極９ａから配線（図示せず）が延びており、また、基板電極９ｂから配線（図示せず）が延びている。積層型コンデンサ１０は、例えば、第１の外部電極３ａと基板電極９ａとがはんだを介してはんだ接合され、また、第２の外部電極３ｂと基板電極９ｂとがはんだを介してはんだ接合される。積層型コンデンサ１０は、下面４ｂが基板９の実装面と対向するようにはんだ接合される。
【００６０】
本実施の形態１の積層型コンデンサ１０の実装構造体は、図１０に示すように、第１の外部電極３ａと基板電極９ａとがはんだ等の導電性材料を介して接合され、また、第２の外部電極３ｂと基板電極９ｂとがはんだ等の導電性材料を介して接合されている。はんだ接合は、例えば、基板電極９ａおよび基板電極９ｂ上に印刷したはんだによって行なう。
【００６１】
本実施の形態１においては、積層型コンデンサ１０は、下面４ｂが基板９の実装面に対向して配置されている。第１の外部電極３ａと基板電極９ａとの間および第２の外部電極３ｂと基板電極９ｂとの間には、はんだ層が形成され、側面部３ａ１および側面部３ｂ１に沿ってはんだフィレット層７が形成される。図１０（ｂ）に示すように、Ｃは基板９の実装面と積層型コンデンサ１０との間隔であり、Ｈ１は基板９の実装面からのはんだフィレット層７の高さである。基板９にはんだを印刷して積層型コンデンサ１０を実装する場合、使用する材料は、外部電極３との濡れ性のよいものであれば特に制限はない。
【００６２】
一方、従来の積層型コンデンサ１００は、図１１（ａ）に示すように、直方体状の積層体１０１と、その両端部の外表面に設けられた外部電極１０３と、を備えている。図１１（ｂ）は、図１１（ａ）のＺ方向から視た平面図である。図１１（ｃ）は、図１１（ｂ）のＦ−Ｆ線で切断した断面図であり、基板９０に実装した積層型コンデンサ１００の従来の実装構造体を示している。
【００６３】
積層体１０１は、図１１（ｃ）に示すように、誘電体層１０１ａと内部電極層１０２とが交互に積層されたものである。内部電極層１０２は、積層体１０１の両端部のいずれか一方において外部電極１０３と電気的に接続されている。また、積層型コンデンサ１００において、誘電体層１０１ａ、内部電極層１０２および外部電極１０３は、本実施の形態１の積層型コンデンサ１０と同様な材料を用いている。
【００６４】
従来の積層型コンデンサ１００は、図１１（ｃ）に示すように、外部電極１０３と、基板９０上の基板電極９０ａ、９０ｂとが、はんだを介して電気的に接続された状態で固定される。はんだは、外部電極１０３と基板電極９０ａ、９０ｂとの間の隙間を埋めるとともに、積層体１０１の端面と、さらに側面および上下の主面の一部を被覆する外部電極１０３を被覆してはんだフィレット層７０を形成している。具体的には、はんだフィレット層７０は、外部電極１０３の両側面部に沿って形成される。
【００６５】
このような状態で実装された積層型コンデンサ１００に、直流電圧（ＤＣバイアス）と
ともに交流電圧が印加されると、直流電圧による電歪効果のため誘電体層１０１ａに圧電的な性質が生じ、交流電圧により圧電振動が発生する。さらに、積層型コンデンサ１００の圧電振動がはんだフィレット層７０を介して基板９０に伝わって基板９０が振動し、基板９０が可聴域の共振周波数で共振した際に、音鳴きと呼ばれる振動音が発生する。
【００６６】
ここで、積層型コンデンサ１００単体の圧電振動についてシミュレーションを行なった。まず、積層型コンデンサ１００に、４Ｖの直流電圧（ＤＣバイアス）を印加した状態でインピーダンスを測定した。測定結果を図１２に示す。
【００６７】
また、積層型コンデンサ１００に基づくモデル（誘電体材料：チタン酸バリウム系材料、内部電極層：Ｎｉ、外部電極（下地電極）：Ｃｕ、積層体寸法：１１００×６２０×６２０（μｍ）、外部電極厚み２０μｍ）を用いてインピーダンスのシミュレーションを行なった。２ＧＨｚ以上の周波数領域に存在する圧電共振ピークについて、測定した実測値に合致するように、積層型コンデンサ１００の材料パラメータのフィッティングを行った。図１３は、インピーダンスのシミュレーションに使用した有限要素法のモデルを模式的に示したものである。これは、対称性を考慮した１／８モデルであり、図１３の前面に現れている２つの断面、および下側の断面は対称面である。
【００６８】
フィッティングにより得られた誘電体層１０１ａのパラメータ（弾性スティフネスｃｉｊおよび圧電定数ｅｉｊ）を表１に示す。表１より、積層型コンデンサ１００の誘電体層１０１ａの材料特性には異方性（ｃ１１＞ｃ３３、ｃ２２＞ｃ３３）があることがわかる。これは、内部電極層１０２による圧縮応力に起因するものと考えられる。
【００６９】
【表１】
0006517619.tif 000002
【００７０】
また、得られたパラメータを用いて、積層型コンデンサ１００の可聴周波数領域（２０Ｈｚ〜２０ｋＨｚ）における振動モードを、上述の１／８モデル(図１２)を用いて計算した。１０ｋＨｚにおいて計算した計算結果を図１４に示す。なお、１／８モデルは、図１２に示すように、対称性を考慮したものであり、図１３の全面に現われている２つの断面および下側の断面は対称面である。なお、図１４（ａ）は、１／８モデルの内部側（対称面側）からみたものであり、図１４（ｂ）は、図１４（ａ）の反対側、すなわち、１／８モデルの外部側（表面側）からみたものである。ここで、破線は交流電圧を印加していない状態の積層型コンデンサ１００の形状を示し、実線は交流電圧により最大に変位した状態の積層型コンデンサ１００の形状を示している。
【００７１】
この結果から、可聴周波数領域において、積層型コンデンサ１００は、積層面方向には拡がり振動を、積層方向（厚み方向）には伸縮振動をしていることがわかる。積層型コンデンサ１００全体を模式的に表した図１５に示すように、積層型コンデンサ１００は、積層方向に対向して位置する一対の主面（上面４ａおよび下面４ｂ）において、当該主面を構成する各辺の中央部に、振動振幅が小さい、すなわち、振動の節ともいえる領域（以下
、節状部１５という）が存在することがわかる。
【００７２】
本実施の形態１に係る積層型コンデンサ１０は、積層型コンデンサ１００と同等であるため、積層型コンデンサ１００と同様に、上述の節状部１５が各辺の中央部に存在する。したがって、積層型コンデンサ１０は、節状部１５において、はんだを介して一対の外部電極３を基板９に固定することによって、基板９への圧電振動の伝播が抑制され、音鳴きを低減できると考えられる。
【００７３】
積層型コンデンサ１０は、図１４（ｂ）に示すように、上述の節状部１５が存在しており、第１の外部電極３ａおよび第２の外部電極３ｂを節状部１５に設けたことから、節状部１５で基板９に固定されることになる。
【００７４】
一対の外部電極３は、第１の外部電極３ａが節状部１５を含むように第１の側面４ｅに設けられ、上面４ａおよび下面４ｂに延在しており、同様に、第２の外部電極３ｂが節状部１５を含むように第２の側面４ｆに設けられ、上面４ａおよび下面４ｂに延在している。
【００７５】
また、一対の外部電極３は、第１の外部電極３ａが節状部１５の内側に位置するように第１の側面４ｅに設けられ、上面４ａおよび下面４ｂに延在し、また、第２の外部電極３ｂが節状部１５の内側に位置するように第２の側面４ｆに設けられ、上面４ａおよび下面４ｂに延在していてもよい。
【００７６】
ここで、図１６を参照しながら積層型コンデンサ１０の一対の外部電極３の形成方法についての一例を以下に説明する。
【００７７】
一対の下地電極５は、ローラ転写法を用いて、下地電極５となる導電性ペースト１７が第１の側面４ｅ（第２の側面４ｆ）、上面４ａおよび下面４ｂにそれぞれ設けられる。
【００７８】
図１６に示すように、積層体１の送り速度および回転転写ローラ１６の回転速度を調整することによって、積層体１の上面４ａおよび下面４ｂに導電性ペースト１７が溜まるようにして、第１の側面４ｅおよび第２の側面４ｆに下地電極５となる導電性ペースト１７を積層体１に転写する。これによって、下地電極５となる導電性ペースト１７が第１の側面４ｅ（第２の側面４ｆ）に設けられるとともに、下地電極５となる導電性ペースト１７が上面４ａに延在するように設けられ、また、下地電極５となる導電性ペースト１７が下面４ｂに延在するように設けられる。
【００７９】
また、積層型コンデンサ１０は、例えば、積層体１の送り速度および回転転写ローラ１６の回転速度を積層体１の送り速度＝回転転写ローラ１６の回転速度＝１０００：１００２〜１００４の関係にして、回転転写ローラ１６の回転速度を積層体１の送り速度よりも大きくすることによって、下面４ｂに設けられる下地電極５の厚みを上面４ａに設けられる下地電極５の厚みよりも厚くすることができる。なお、上面延在部３ａ２（上面延在部３ｂ２）および下面延在部３ｂ２（下面延在部３ｂ３）の形状は、下地電極５の形状に反映されることになる。
【００８０】
また、導電性ペースト１７は、射出ニードル１８から回転転写ローラ１６に供給されて、スクレッパー１９でもって膜厚が調整される。導電性ペースト１７を焼結して下地電極５とした後、下地電極５の表面を覆うように金属層６を設けることによって一対の外部電極３となる。
【００８１】
このように、本実施の形態１に係る積層型コンデンサ１０において、一対の外部電極３
は、側面部３ａ１が第１の側面４ｅの中央部を含むとともに両端部を含まないように設けられ、また、側面部３ｂ１が第２の側面４ｆの中央部を含むとともに両端部を含まないように設けられており、さらに、下面延在部３ａ３および下面延在部３ｂ３の厚みが上面延在部３ａ２および上面延在部３ｂ２の厚みよりも厚くなっている。
【００８２】
積層型コンデンサ１０は、節状部１５を含む比較的に振動振幅の小さい領域を上面４ａおよび下面４ｂの長辺の中央部に有している。すなわち、積層型コンデンサ１０は、上面４ａおよび下面４ｂと第１の側面４ｅとの間の稜線部の中央部に、また、上面４ａおよび下面４ｂと第２の側面４ｆとの間の稜線部の中央部に節状部１５を含む比較的に振動振幅の小さい領域を有しており、第１の外部電極３ａおよび第２の外部電極３ｂが節状部１５を含む比較的に振動振幅の小さい領域に設けられているので、音鳴りを抑制することができる。
【００８３】
さらに、積層型コンデンサ１０は、基板９の実装面と対向する下面延在部３ａ２および下面延在部３ｂ２の厚みが厚くなっているので、積層体１と基板９の実装面との間隔が大きくなり、基板９に対して圧電振動の伝播が抑制され、音鳴きが低減される。
【００８４】
また、図６に示すように、積層型コンデンサ１０Ｂは、一対の外部電極３に樹脂層１１を設けることで、下面延在部３ａ３および下面延在部３ｂ３の厚みを厚くすることができる。具体的には、一対の外部電極３０は、下地電極５と金属層６との間に導電性樹脂からなる樹脂層１１を設けて、下面４ｂに設けられる樹脂層１１の厚みを上面４ａに設けられる樹脂層１１の厚みよりも厚くすることで下面延在部３ａ３および下面延在部３ｂ３の厚みを厚くすることができる。樹脂層１１は、下地電極５の表面を覆うように、例えば、ローラ転写法を用いて設けられる。なお、下地電極５は、上面４ａにおける厚みが、例えば、３（μｍ）〜５（μｍ）であり、第１の側面４ｅおよび第２の側面４ｆにおける厚みが、例えば、５（μｍ）〜１０（μｍ）であり、下面４ｂにおける厚みが、例えば、３（μｍ）〜５（μｍ）である。
【００８５】
樹脂層１１は、上面４ａにおける厚みが、例えば、２０（μｍ）〜４０（μｍ）であり、第１の側面４ｅおよび第２の側面４ｆにおける厚みが、例えば、４０（μｍ）〜６０（μｍ）であり、下面４ｂにおける厚みが上面４ａにおける厚みよりも厚く、例えば、６０（μｍ）〜８０（μｍ）である。積層型コンデンサ１０Ｂは、一対の外部電極３は、下面延在部３ａ３および下面延在部３ｂ３の厚みが上面延在部３ａ２および上面延在部３ｂ２の厚みよりも厚くなっており、下面延在部３ａ３および下面延在部３ｂ３の厚みは、例えば、７０（μｍ）〜１００（μｍ）であり、上面延在部３ａ２および上面延在部３ｂ２の厚みは、例えば、３０（μｍ）〜６０（μｍ）である。
【００８６】
このように、積層型コンデンサ１０Ｂは、下地電極５と金属層６との間に樹脂層１１を設けることよって樹脂層１１で振動を緩和することができる。
【００８７】
樹脂層１１は、回転転写ローラ１６の回転速度を積層体１の送り速度よりも大きくすることによって、下面４ｂに設けられる樹脂層１１の厚みを上面４ａに設けられる樹脂層１１の厚みよりも厚くすることができる。
【００８８】
また、樹脂層１１は、導電性樹脂であり、例えば、エポキシ樹脂、シリコーン樹脂またはウレタン樹脂等の樹脂材料に、導電性材料として、例えば、ニッケル（Ｎｉ）、銅（Ｃｕ）、銀（Ａｇ）、白金（Ｐｔ）、パラジウム（Ｐｄ）または金（Ａｕ）等の金属材料の粉末（フィラー）、あるいは、これらの金属材料の一種以上を含む、例えば、Ａｇ−Ｐｄ合金等の合金材料の粉末（フィラー）が含まれている。
【００８９】
本発明は、上述の実施の形態１の積層型コンデンサ１０に限定されるものではなく、本発明の要旨を逸脱しない範囲において種々の変更、改良等が可能である。以下、他の実施の形態について説明する。なお、他の実施の形態に係る積層型コンデンサのうち、実施の形態１に係る積層型コンデンサ１０と同様な部分については、同一の符号を付して適宜説明を省略する。
【００９０】
＜実施の形態２＞
以下、本発明の実施の形態２に係る積層型コンデンサ１０Ａについて図４および図５を参照しながら説明する。なお、図４は図１（ｃ）に相当する図面であり、図５は図２に相当する図面である。積層型コンデンサ１０Ａは、積層型コンデンサ１０とは下面延在部３ａ２（下面延在部３ｂ２）の大きさ、すなわち、上面延在部３ａ２（上面延在部３ｂ２）および下面延在部３ｂ３（下面延在部３ｂ３）は、積層体１の短手方向に沿った長さが異なっている。
【００９１】
積層型コンデンサ１０Ａにおいて、下面延在部３ａ３および下面延在部３ｂ３の先端部は、積層方向から平面透視して上面延在部３ａ２および上面延在部３ｂ２の先端部よりも下面４ｂの中央部側に位置している。すなわち、一対の外部電極３は、図５に示すように、下面延在部３ａ３（下面延在部３ｂ３）の積層体１の短手方向（Ｙ方向）に沿った長さＷ２が上面延在部３ａ２（上面延在部３ｂ２）の積層体１の短手方向（Ｙ方向）に沿った長さＷ１よりも長くなるように、上面延在部３ａ２（上面延在部３ｂ２）および下面延在部３ａ３（下面延在部３ｂ３）が凸状に湾曲して上面４ａおよび下面４ｂにそれぞれ延在している。
【００９２】
したがって、積層型コンデンサ１０Ａにおいて、一対の外部電極３は、下面延在部３ａ３（下面延在部３ｂ３）の長さＷ２が上面延在部３ａ２（上面延在部３ｂ２）の長さＷ１よりも大きく、Ｗ２＞Ｗ１となっている。また、Ｗ１：Ｗ２＝１：１．５〜２の関係であることが、音鳴きの抑制および実装安定性という点から好ましい。
【００９３】
例えば、積層体１の送り速度および回転転写ローラ１６の回転速度は、積層体１の送り速度：回転転写ローラ１６の回転速度＝１０００：１００４〜１００６の関係となっており、回転転写ローラ１６の回転速度は積層体１の送り速度よりも大きくなっている。回転転写ローラ１６の回転速度に対して積層体１の送り速度が遅いと、送り後方に下地電極５となる導電性ペースト１７が溜まりやすく、また、送り前方には導電性ペースト１７が供給されにくくなる。このように、回転転写ローラ１６の回転速度を積層体１の送り速度よりも大きくすることによって、下面延在部３ａ３（下面延在部３ｂ３）の積層体１の短手方向に沿った長さＷ２が上面延在部３ａ２（上面延在部３ｂ２）の積層体１の短手方向に沿った長さＷ１よりも大きく、Ｗ２＞Ｗ１となり、積層型コンデンサ１０Ａの上面延在部３ａ２（上面延在部３ｂ２）および下面延在部３ａ３（下面延在部３ｂ３）を上面４ａおよび下面４ｂにそれぞれ形成することができる。
【００９４】
また、導電性ペースト１７は、射出ニードル１８から回転転写ローラ１６に供給されて、スクレッパー１９でもって膜厚が調整される。導電性ペースト１７を焼結して下地電極５とした後、下地電極５の表面を覆うように金属層６を設けることによって一対の外部電極３となる。
【００９５】
このように、一対の外部電極３（第１の外部電極３ａおよび第２の外部電極３ｂ）は、基板９の実装面と対向する下面延在部３ａ３および下面延在部３ｂ３の面積が大きくなることによって基板電極９ａ、９ｂとの接合領域が大きくなり、積層型コンデンサ１０Ａは基板９に安定的に実装されることになる。したがって、積層型コンデンサ１０Ａは、音鳴きを抑制するとともに、実装安定性および実装信頼性を向上させることができる。
【００９６】
＜実施の形態３＞
以下、本発明の実施の形態３に係る積層型コンデンサ１０Ｃについて、図７を参照しながら説明する。
【００９７】
積層型コンデンサ１０Ｃにおいて、図７（ｃ）に示すように、一対の外部電極３の側面部３ａ１および側面部３ｂ１は、下面延在部３ａ３側および下面延在部３ｂ３側の厚みが上面延在部３ａ２および上面延在部３ｂ２側の厚みよりも厚くなっている。具体的には、積層型コンデンサ１０Ｃは、図７（ｃ）に示すように、下面延在部３ａ３（下面延在部３ｂ３）側に設けられる下地電極５の厚みを上面延在部３ａ２（上面延在部３ｂ２）側に設けられる下地電極５の厚みよりも厚くすることによって、側面部３ａ１の下面延在部３ａ３側の厚みを厚くすることができ、また、側面部３ｂ１の下面延在部３ｂ３側の厚みを厚くすることができる。
【００９８】
このように、一対の外部電極３は、図７（ｃ）に示すように、側面部３ａ１が下面延在部３ａ３側において外側（Ｙ方向の負側）に突出するように厚みが厚くなっており、また、側面部３ｂ３が下面延在部３ｂ３側において外側（Ｙ方向の正側）に突出するように厚みが厚くなっている。積層型コンデンサ１０Ｃにおいて、積層体１を積層方向に３分割した際の下方側に位置する領域において、側面部３ａ１（側面部３ｂ１）は厚みが漸次厚くなるような形状になっている。積層型コンデンサ１０Ｃは、側面部３ａ１（側面部３ｂ１）の厚みが下方側で漸次厚くなることによって、基板９への実装時の実装安定性が向上するとともに、なだらかなはんだフィレット層７が形成されやすくなり、応力が緩和されやすく、クラック等の発生が抑制される。
【００９９】
下地電極５は、積層方向（Ｚ方向）の中央部における厚みが、例えば、５（μｍ）〜１０（μｍ）であり、積層方向（Ｚ方向）の下端部における厚みが中央部における厚みよりも厚く、例えば、６０（μｍ）〜８０（μｍ）である。
【０１００】
すなわち、図７（ｃ）に示すように、側面部３ａ１（側面部３ｂ１）は、積層方向（Ｚ方向）の下端部おける厚みが中央部における厚みよりも厚くなっており、側面部３ａ１（側面部３ｂ１）は、積層方向（Ｚ方向）の中央部における厚みが、例えば、５５（μｍ）〜８５（μｍ）であり、積層方向（Ｚ方向）の下端部における厚みが、例えば、７０（μｍ）〜１００（μｍ）である。
【０１０１】
このように、一対の外部電極３の側面部３ａ１および側面部３ｂ１は、下面延在部３ａ３側および下面延在部３ｂ３側の厚みが上面延在部３ａ２側および上面延在部３ｂ２側の厚みよりも厚くなっているので、積層型コンデンサ１０Ｃは、重心の位置が下方になるので実装安定性が向上する。また、積層型コンデンサ１０Ｃは、なだらかなはんだフィレット層７が形成されやすくなり、応力が緩和されやすく、クラック等の発生が抑制される。
【０１０２】
また、積層型コンデンサ１０Ｃは、側面部３ａ１（側面部３ｂ１）の厚みが上面延在部３ａ２（上面延在部３ｂ２）側よりも下面延在部３ａ３（下面延在部３ｂ３）側が厚くなっているが、側面部３ａ１（側面部３ｂ１）の断面形状は、これに限定されない。
【０１０３】
例えば、図８（ａ）に示すように、積層型コンデンサ１０Ｄは、一対の外部電極３を側面部３ａ１（側面部３ｂ１）の厚みが積層方向（Ｚ方向）において上面延在部３ａ２（上面延在部３ｂ２）側から下面延在部３ａ３（下面延在部３ｂ３）側に向かうにつれて漸次厚くなるような形状で設けてもよい。
【０１０４】
側面部３ａ１（側面部３ｂ１）は、積層方向（Ｚ方向）の下端部おける厚みが中央部に
おける厚みよりも厚くなっており、上面延在部３ａ２（上面延在部３ｂ２）側から下面延在部３ａ３（下面延在部３ｂ３）側に向かうにつれて漸次厚くなるような形状にすることによって、積層型コンデンサ１０Ｄは、重心の位置が下方になり実装安定性が向上するとともに、はんだフィレット層７の形状がなだらかになるので、はんだに対する応力の集中が緩和される。
【０１０５】
また、図８（ｂ）に示すように、積層型コンデンサ１０Ｅは、一対の外部電極３に樹脂層１１を設けることで、下面延在部３ａ３（下面延在部３ｂ３）側に設けられる樹脂層１１の厚みを上面延在部３ａ２（上面延在部３ｂ２）側に設けられる樹脂層１１の厚みよりも厚くすることによって、側面部３ａ１の下面延在部３ａ３側の厚みおよび側面部３ｂ１の下面延在部３ｂ３側の厚みを厚くすることができる。積層型コンデンサ１０Ｅにおいて、積層体１を積層方向に３分割した際の下方側に位置する領域において、側面部３ａ１（側面部３ｂ１）は厚みが漸次厚くなるような形状になっている。積層型コンデンサ１０Ｅは、側面部３ａ１（側面部３ｂ１）の厚みが下方側で漸次厚くなることによって、基板９への実装時の実装安定性が向上するとともに、なだらかなはんだフィレット層７が形成されやすくなり、応力が緩和されやすく、クラック等の発生が抑制される。
【０１０６】
樹脂層１１は、積層方向（Ｚ方向）の中央部における厚みが、例えば、４５（μｍ）〜６５（μｍ）であり、積層方向（Ｚ方向）の下端部における厚みが中央部における厚みよりも厚く、例えば、６０（μｍ）〜８０（μｍ）である。なお、下地電極５は、上面４ａにおける厚みが、例えば、３（μｍ）〜５（μｍ）であり、第１の側面４ｅおよび第２の側面４ｆにおける厚みが、例えば、５（μｍ）〜１０（μｍ）であり、下面４ｂにおける厚みが、例えば、３（μｍ）〜５（μｍ）である。
【０１０７】
すなわち、図８（ｂ）に示すように、側面部３ａ１（側面部３ｂ１）は、積層方向（Ｚ方向）の下端部おける厚みが中央部における厚みよりも厚くなっており、側面部３ａ１（側面部３ｂ１）は、積層方向（Ｚ方向）の中央部における厚みが、例えば、５５（μｍ）〜８５（μｍ）であり、積層方向（Ｚ方向）の下端部における厚みが、例えば、７０（μｍ）〜１００（μｍ）である。
【０１０８】
このように、積層型コンデンサ１０Ｅは、下地電極５と金属層６との間に樹脂層１１を設けることよって樹脂層１１で振動を緩和することができる。さらに、積層型コンデンサ１０Ｅは、下面延在部３ａ３（下面延在部３ｂ３）側の厚みが厚くなっているので、基板への振動の伝播を抑制することができる。
【０１０９】
また、積層型コンデンサ１０Ｃ〜積層型コンデンサ１０Ｅは、下面延在部３ａ３（下面延在部３ｂ３）の積層体１の短手方向に沿った長さＷ２が上面延在部３ａ２（上面延在部３ｂ２）の積層体１の短手方向に沿った長さＷ１よりも大きく、Ｗ２＞Ｗ１となっていてもよい。
【０１１０】
また、積層型コンデンサ１０Ｅは、下地電極５と金属層６との間に導電性樹脂からなる樹脂層１１を設けて、積層方向（Ｚ方向）において側面部３ａ１（側面部３ｂ１）の厚みを上面延在部３ａ２（上面延在部３ｂ２）側から下面延在部３ａ３（下面延在部３ｂ３）側に向かうにつれて漸次厚くなるような形状にすることもできる。
【０１１１】
＜実施の形態４＞
以下、本発明の実施の形態４に係る積層型コンデンサ１０Ｆについて図９を参照しながら説明する。積層型コンデンサ１０Ｆは、積層型コンデンサ１０とは異なり、一対の外部電極３が第１の端面４ｃおよび第２の端面４ｄの中央部を含むように設けられている。なお、積層型コンデンサ１０Ｆは、一対の外部電極３を一対の端面４ｃ、４ｄに設けている
が、一対の外部電極３の形状等の他の構成については、積層型コンデンサ１０と同様である。
【０１１２】
また、積層型コンデンサ１０Ｆは、上述の積層型コンデンサ１０乃至積層型コンデンサ１０Ｅで適用した技術内容を適宜採用することができる。また、第１の外部電極３Ａおよび第２の外部電極３Ｂは、上述のローラ転写法等を用いて、第１の端面４ｃおよび第２の端面４ｄに設けることができる。
【０１１３】
図９（ａ）は、本発明の実施の形態４に係る積層型コンデンサ１０Ｆを示す概略の斜視図であり、積層型コンデンサ１０Ｆは、誘電体層１ａと内部電極層２（第１の内部電極層２ａおよび第２の内部電極層２ｂ）とが交互に積層された直方体状の積層体１と、積層体１の長手方向の一対の端面４ｃ、４ｄに設けられ、互いに異なる内部電極層２にそれぞれ電気的に接続された一対の外部電極３（第１の外部電極３Ａおよび第２の外部電極３Ｂ）と、を備えている。
【０１１４】
一対の外部電極３は、図９に示すように、第１の外部電極３Ａと第２の外部電極３Ｂとからなる。第１の外部電極３Ａは、側面部３Ａ１と上面延在部３Ａ２と下面延在部３Ａ３とを有しており、側面部３Ａ１が第１の端面４ｃの中央部を含むように第１の端面４ｃに設けられ、上面延在部３Ａ２が側面部３Ａ１から積層体１の長手方向（Ｘ方向）の中央部に向かって上面４ａ上に延在し、下面延在部３Ａ３が側面部３Ａ１から積層体１の長手方向（Ｘ方向）の中央部に向かって下面４ｂ上に延在している。
【０１１５】
また、第２の外部電極３Ｂは、側面部３Ｂ１と上面延在部３Ｂ２と下面延在部３Ｂ３とを有しており、側面部３Ｂ１が第２の端面４ｄの中央部を含むように第２の端面４ｄに設けられ、上面延在部３Ｂ２が側面部３Ｂ１から積層体１の長手方向（Ｘ方向）の中央部に向かって上面４ａ上に延在し、下面延在部３Ｂ３が側面部３Ｂ１から積層体１の長手方向（Ｘ方向）の中央部に向かって下面４ｂ上に延在している。
【０１１６】
第１の外部電極３Ａにおいて、上面延在部３Ａ２は、第１の端面４ｃ側の長さが側面部３Ａ１の上端部（Ｚ方向の正側）側の長さとほぼ同じ長さで上面４ａに設けられ、また、下面延在部３Ａ３は、第１の端面４ｃ側の長さが側面部３Ａ１の下端部（Ｚ方向の負側）側の長さとほぼ同じ長さで下面４ｂに設けられている。
【０１１７】
また、第２の外部電極３Ｂにおいて、上面延在部３Ｂ２は、第２の端面４ｄ側の長さが側面部３Ｂ１の上端部（Ｚ方向の正側）側の長さとほぼ同じ長さで上面４ａに設けられ、また、下面延在部３Ｂ３は、第２の端面４ｄ側の長さが側面部３Ｂ１の下端部（Ｚ方向の負側）側の長さとほぼ同じ長さで下面４ｂに設けられている。
【０１１８】
一対の外部電極３は、第１の外部電極３Ａが節状部１５を含むように第１の端面４ｃに設けられ、上面４ａおよび下面４ｂに延在しており、同様に、第２の外部電極３Ｂが節状部１５を含むように第２の端面４ｄに設けられ、上面４ａおよび下面４ｂに延在している。
【０１１９】
また、一対の外部電極３は、第１の外部電極３Ａが節状部１５の内側に位置するように第１の端面４ｃに設けられ、上面４ａおよび下面４ｂに延在し、また、第２の外部電極３Ｂが節状部１５の内側に位置するように第２の端面４ｄに設けられ、上面４ａおよび下面４ｂに延在していてもよい。
【０１２０】
上面延在部３Ａ２（上面延在部３Ｂ２）および下面延在部３Ａ３（下面延在部３Ｂ３）は、上面４ａおよび下面４ｂの中央部に向かって凸状に湾曲しており、例えば、中央部に
向かって円弧状に湾曲して延在している。また、一対の外部電極３は、積層方向から平面透視して上面延在部３Ａ２（上面延在部３Ｂ２）の積層体１の長手方向（Ｘ方向）に沿った長さＷ３および下面延在部３Ａ３（下面延在部３Ｂ３）の積層体１の長手方向（Ｘ方向）に沿った長さＷ４がほぼ同じ長さになるように設けられており、上面延在部３Ａ２（上面延在部３Ｂ２）および下面延在部３Ａ３（下面延在部３Ｂ３）が凸状に湾曲して上面４ａおよび下面４ｂに延在している。
【０１２１】
また、積層型コンデンサ１０Ｆは、振動振幅の大きい上面４ａおよび下面４ｂに位置する上面延在部３Ａ２（上面延在部３Ｂ２）および下面延在部３Ａ３（下面延在部３Ｂ３）の領域を小さくすることによって振動を基板９に伝わりにくくするという点、または、実装安定性を向上させる点から、Ｗ３およびＷ４は、積層体１の長手方向（Ｘ方向）の長さに対して、０．０２〜０．４の範囲内であることが好ましい。
【０１２２】
また、積層型コンデンサ１０Ｆにおいて、下面延在部３Ａ３（下面延在部３Ｂ３）の先端部は、積層方向から平面透視して上面延在部３Ａ２（上面延在部３Ｂ２）の先端部よりも下面４ｂの中央部側に位置していてもよい。すなわち、一対の外部電極３は、下面延在部３Ａ３（下面延在部３Ｂ３）の積層体１の長手方向に沿った長さＷ４が上面延在部３Ａ２（上面延在部３Ｂ２）の積層体１の長手方向に沿った長さＷ３よりも大きく、Ｗ４＞Ｗ３となっていてもよい。また、Ｗ３：Ｗ４＝１：１．５〜２の関係であることが、音鳴きの抑制および実装安定性という点から好ましい。
【０１２３】
積層型コンデンサ１０Ｆは、積層型コンデンサ１０と同様に、上面延在部３Ａ２および下面延在部３Ａ３は、積層体１の短手方向（Ｙ方向）の長さが第１の端面４ｃ側から上面４ａおよび下面４ｂの中央部側に向かって漸次小さくなるように上面４ａおよび下面４ｂの中央部側に突出するように凸状に湾曲しており、中央部側に向かって湾曲して延在する湾曲部を有している。
【０１２４】
また、上面延在部３Ｂ２および下面延在部３Ｂ３は、積層体１の短手方向（Ｙ方向）の長さが第２の端面４ｄ側から上面４ａおよび下面４ｂの中央部側に向かって漸次小さくなるように上面４ａおよび下面４ｂの中央部側に突出するように凸状に湾曲しており、中央部側に向かって湾曲して延在する湾曲部を有している。
【０１２５】
このように、上面延在部３Ａ２および下面延在部３Ａ３は、中央部側に向かって凸状に湾曲する湾曲部を有しており、湾曲部は、例えば、凸状に湾曲する円弧状、半円形状または半楕円形状等であり、同様に、上面延在部３Ｂ２および下面延在部３Ｂ３は、中央部側に向かって凸状に湾曲する湾曲部を有しており、湾曲部は、例えば、凸状に湾曲する円弧状、半円形状または半楕円形状等である。
【０１２６】
積層型コンデンサ１０Ｆは、上面延在部３ａ２（上面延在部３ｂ２）および下面延在部３ａ３（下面延在部３ｂ３）が上面１ａおよび下面１ｂの中央部に向かって凸状に湾曲して延在しているので、外部電極３が積層体１から剥離しにくくなり、また、はんだ接合においては、はんだに亀裂等が生じにくくなり実装の信頼性を向上させることができる。
【０１２７】
また、上面延在部３Ａ２（上面延在部３Ｂ２）および下面在部３Ａ３（下面延在部３Ｂ３）は、積層方向から平面視して、例えば、第１の端面４ｃ（第２の端面４ｄ）を底辺（下辺）とする三角形状、台形状または四角形状の多角形状等の形状であってもよく、三角形、台形状または四角形状等の形状でもって上面４ａおよび下面４ｂの中央部に向かって延在していてもよい。また、三角形状または台形状は、積層体１の短手方向に沿った長さが上面４ａおよび下面４ｂの中央部に向かうにつれて漸次小さくなっている。なお、三角形状、台形状または四角形状等の多角形状は、その角部（頂点）が丸みを帯びている場合
も含むものとする。
【０１２８】
また、積層型コンデンサ１０Ｆは、積層型コンデンサ１０と同様に、下面延在部３Ａ３および下面延在部３Ｂ３の厚みが上面延在部３Ａ２および下面延在部３Ｂ２の厚みよりも厚くなっている。具体的には、積層型コンデンサ１０Ｆは、下面４ｂに設けられる下地電極５の厚みを上面４ａに設けられる下地電極５の厚みよりも厚くすることで下面延在部３Ａ３および下面延在部３Ｂ３の厚みを厚くすることができる。この場合には、下面４ｂに設けられる下地電極５は、回転転写ローラ１６の回転速度を積層体１の送り速度よりも大きくすることによって、下面４ｂに設けられる下地電極５の厚みを上面４ａに設けられる下地電極５の厚みよりも厚くすることができる。また、下地電極５と金属層６との間に導電性樹脂からなる樹脂層１１を設けて、下面４ｂに設けられる樹脂層１１の厚みを上面４ａに設けられる樹脂層１１の厚みよりも厚くすることで下面延在部３Ａ３および下面延在部３Ｂ３の厚みを厚くすることができる。
【０１２９】
また、積層型コンデンサ１０Ｆは、例えば、第１の外部電極３Ａと基板電極９ａとがはんだを介してはんだ接合され、また、第２の外部電極３Ｂと基板電極９ｂとがはんだを介してはんだ接合される。はんだ接合された積層型コンデンサ１０Ｄは、下面４ｂが基板９の実装面と対向している。
【０１３０】
積層型コンデンサ１０Ｆは、積層型コンデンサ１０乃至積層型コンデンサ１０Ｅとは異なり、一対の外部電極３が第１の端面４ｃおよび第２の端面４ｄの中央部を含むように設けられているが、実施の形態４に係る積層型コンデンサ１０Ｆにおいても、実施の形態２乃至実施の形態３のような構成を適用することができる。
【０１３１】
上述のように、積層型コンデンサ１０Ｆは、積層型コンデンサ１０乃至積層型コンデンサ１０Ｅとは異なり、一対の外部電極３が第１の端面４ｃおよび第２の端面４ｄの中央部を含むように設けられているが、他の構成については同様な構成を有しており、積層型コンデンサ１０乃至積層型コンデンサ１０Ｅと同様な効果を得ることができる。
【０１３２】
本発明は、上述した実施の形態に特に限定されるものではなく、本発明の範囲内で種々の変更および改良が可能である。例えば、本発明の範囲内において、一対の外部電極の側面部がそれぞれ異なる形状を有していてもよい。
【符号の説明】
【０１３３】
１  積層体
１ａ  誘電体層
２  内部電極層
２ａ  第１の内部電極層
２ａａ  引出部
２ｂ  第２の内部電極層
２ｂａ  引出部
３  外部電極
３ａ、３Ａ  第１の外部電極
３ａ１、３Ａ１  側面部
３ａ２、３Ａ２  上面延在部
３ａ３、３Ａ３  下面延在部
３ｂ、３Ｂ  第２の外部電極
３ｂ１、３Ｂ１  側面部
３ｂ２、３Ｂ２  上面延在部
３ｂ３、３Ｂ３  下面延在部
４ａ  上面
４ｂ  下面
４ｃ  第１の端面
４ｄ  第２の端面
４ｅ  第１の側面
４ｆ  第２の側面
５  下地電極
６  金属層
６ａ  第１の金属層
６ｂ  第２の金属層
７  はんだフィレット層
８  ２等分線
９  基板
９ａ、９ｂ  基板電極
１０、１０Ａ〜１０Ｆ  積層型コンデンサ
１１  樹脂層
１５  節状部
１６  回転転写ローラ
１７  導電性ペースト
１８  射出ニードル
１９  スクレッパー
【図１】
0006517619.tif 000003
【図２】
0006517619.tif 000004
【図３】
0006517619.tif 000005
【図４】
0006517619.tif 000006
【図５】
0006517619.tif 000007
【図６】
0006517619.tif 000008
【図７】
0006517619.tif 000009
【図８】
0006517619.tif 000010
【図９】
0006517619.tif 000011
【図１０】
0006517619.tif 000012
【図１１】
0006517619.tif 000013
【図１２】
0006517619.tif 000014
【図１３】
0006517619.tif 000015
【図１４】
0006517619.tif 000016
【図１５】
0006517619.tif 000017
【図１６】
0006517619.tif 000018